Podtech/llm-jp-corpus-v4-ja_patent huggingface dataset:
(57)【要約】【課題】沖縄三味線である三線を習得しようとするとき。初心者にはなじみの無い「工工四」と言う三線独特の楽譜に頼らなければならず１曲が弾けるようにまるまでにはかなりの時間を要した。また曲の数だけの「工工四」を覚える必要があった。本考案は初心者でも「工工四」等の楽譜を見なくても三線のＬＥＤの発光箇所を視覚的に勘所として捉えるだけで三線を独習できるようにする。【解決手段】実際の三線をパネル上にイラスト化し勘所と呼ばれる弦を押える位置にＬＥＤを設け、点灯した位置と同じ箇所を実際の三線で弾いていくだけで初心者でも容易かつ効率的に曲を独習できるようにし。またメモリーカードを差し替えるだけで複数の曲を独習できるようにした。【選択図】図１
0003126149.tif 000002
【実用新案登録請求の範囲】
【請求項１】
沖縄三味線である三線（さんしん）の弦を押さえる位置は勘所（かんどころ）とよばれている。パネル上に描かれた三線のイラスト上の勘所にあたる位置にＬＥＤ（発光ダイオード）を設け、曲の楽譜に合わせて自動的にＬＥＤを順次点灯させる事ことを特徴とする三線練習器。
【請求項２】
前記三線練習器は、所定の演奏楽譜をＩＣ（集積回路のメモリー）にプログラムしたメモリーカードを、専用の差し込み用コネクタを通して交換できることを特徴とする請求項１記載の三線練習器。
【考案の詳細な説明】
【技術分野】
【０００１】  本考案は、ＬＥＤの点滅動作を利用して沖縄三線を視覚的に簡単に独習するための三線練習器に関するものである。
【背景技術】
【０００２】  従来は三線を練習する場合主に「工工四」（くんくんし）と呼ばれる三線独自の楽譜を見ながら、あるいは上達者の手元を見ながらの学習が主流であった。【０００３】  また、他の従来例として、三線用の曲が録音されたカセットテープやＣＤなどや近年ではＤＶＤ等も媒体として販売され、印刷された「工工四」が同梱されるものもある。
【考案の開示】
【考案が解決しようとする課題】
【０００４】  しかしながら、以上のような学習法によれば、上達者が身近にいない場合や「工工四」と呼ばれる楽譜に慣れない人達にとっては三線の習得はあまり簡単なものとは言えなかった。またカセットテープやＣＤでは勘所が捉えにくくまたＤＶＤのような視覚教材においても練習場所に再生装置が必要でありまた、収録されている練習曲は収録されたもの限られたものがであった。
そこで、この考案は、コンパクトでどこにも持ち運びができ初心者にも楽譜の「工工四」を見なくてもＬＥＤの光の示した勘所を実際の三線で追うことにより容易に曲を独習することができるように、またメモリーカードを差し替えるだけで多種の曲を独習することができるようにしようとするものである。
【課題を解決するための手段】
【０００５】  以上の課題を解決するため、第一考案として、楽譜「工工四」の代わりにパネル上に描かれた三線のイラスト上の勘所にあたる位置にＬＥＤを設けたことにより楽譜をよむのではなくＬＥＤの点灯した位置と同じ箇所にあたる実際の三線の勘所を押さえていくだけで曲を独習することができることを特徴とする三線練習器である。
また、第二考案は、カセット式のメモリーカードを交換するだけで簡単に別の曲を独習できることを特徴とする三線練習器である。
【考案の効果】
【０００６】  本練習器を用いる事により、初めて三線を弾く人や楽譜を読むことが苦手な人でも容易に曲を独習する事ができるようになる。【０００７】  またコンパクトで独立した練習器なので他のＤＶＤ、ディスプレー等を必要とせず単独で使用できるため容易に場所を変えて練習することができる。【０００８】  また大き目のパネルを用いれば、三線教室などでも複数の人が同時に一枚のパネルを見ながら同じテンポで曲を弾くことも可能である。
【考案を実施するための最良の形態】
【０００９】  以下添付図面に従ってこの考案の一実施形態を、図１に示す。本体１は幅２００ｍｍ高さ１００ｍｍ厚み３０ｍｍのアクリルの箱で、上面のパネルに三線のイラスト２を印刷し、勘所３にあたる位置にＬＥＤを設ける。【００１０】  また箱の上部のパネルには曲の始めを合図するためのＬＥＤ４及びスタート用スイッチ５メモリーカード交換用コネクタ６などを設けメモリーカード７がコネクタへのワンタッチで装着できるようにする。【００１１】  また内部には内蔵用電池ホルダー及び乾電池８、側面には家庭用１００Ｖ電源からも電源をとる事ができるようにＡＣアダプター９用の接続ジャックを設ける。【００１２】  「実施形態の効果」
この実施形態によれば、三線の練習者が三線を持ちながら目の前の練習器上に光る勘所と同じ弦の位置を押さえて弾いていくだけで初心者でも容易かつ効率的に曲を独習でき、また内蔵電池を装備しているため家庭用１００Ｖ電源のない場所でも練習ができる。またメモリーカードを差し替えるだけで複数の曲を独習できるようになる。【００１３】「他の実施形態」
図１の実施形態をそのまま小型アタッシュケース内に設置すればさらに本体が保護され持ち運びが容易となる。
また図１の実施形態は、卓上のコンパクトなサイズのものであるが他の実施形態では、パネルを壁掛け式黒板ほどの大きさにして多人数の人が同時に同一練習器で練習できるようにしたものでも良い。
【図面の簡単な説明】
【００１４】
【図１】この考案の実施形態を示す外観図である。
【符号の説明】
【００１５】  １  練習器パネル本体
２  パネル上に描かれた三線のイラスト
３  三線の勘所を示すＬＥＤ
４  曲の始めの合図用ＬＥＤ
５  スタート用スイッチ
６  メモリーカード交換用コネクタ
７  曲がプログラムされたメモリーカード
８  内蔵電池ケース及び電池
９  ＡＣアダプター用ジャック
【図１】
0003126149.tif 000003
【手続補正書】
【提出日】平成18年7月12日(2006.7.12)
【手続補正１】
【補正対象書類名】実用新案登録請求の範囲
【補正対象項目名】全文
【補正方法】変更
【補正の内容】
【実用新案登録請求の範囲】
【請求項１】
沖縄三味線である三線（さんしん）の弦のイラストをパネル上に描き、イラスト上の勘所（かんどころ）とよばれている弦を押さえるツボの位置にＬＥＤ（発光ダイオード）を設け、曲の楽譜に合わせて自動的に点灯させる事を特徴とする三線練習器。
【請求項２】
前記三線練習器は、所定の演奏楽譜をメモリーＩＣにプログラムしたメモリーカードを、専用の差し込み用コネクタを通して交換できることを特徴とする請求項１記載の三線練習器。
(57)【要約】      （修正有）【課題】本考案は、キャタピラ−（登録商標）付トランク及び既成トランクに取付可能なキャタピラ−により、容易に運搬出来、費用も極めて低廉である。【解決手段】トランク本体にキャタピラー収納構４にキャタピラー用車輪５及び、キャタピラー６、車輪支柱７、車輪支柱用基盤８を設置し、キャタピラー６が稼動出来る範囲で、収納構４に固定する。また、既製品のトランクに取付可能な、キャタピラーを車輪支柱用基盤穴９に、緊締用紐具１０にて緊締しているキャタピラー付トランク及び、取付用キャタピラーの構造。【選択図】図３
0003126145.tif 000002
【実用新案登録請求の範囲】
【請求項１】
本案はキャタピラー付トランク及び、取付用キャタピラーにして、１はトランク本体、２は留具、３はキャスター、４はキャタピラー収納構、５はキャタピラー用車輪、６はキャタピラー、７は車輪支柱、８は車輪支柱用基盤、９は車輪支柱用構基盤をトランクに緊締する穴、１０は、緊締用紐具、１１はトランク取手、１２は牽引用紐具である。
【考案の詳細な説明】
【技術分野】
【０００１】  本案は上記のごとくして、第１図に示せる如くキャタピラー収納構にキャタピラー用車輪５及びキャタピラー６、車輪支柱７、車輪支柱用基盤８を第４図のごとくキャタピラー６が稼動できる範囲で、収納構４に固定する。
また第２図の場合は、既製品のトランクに取付可能な、第３図のキャタピラーを車輪支柱用基盤穴９に緊締用紐具１０にて緊締し、階段等凹凸のある場所でトランクを容易に運搬出来る新規なる考案である。【０００２】  実用新案の性質、作用及び効果の要領
本案は以上の如くであるから、平滑な場所では従来のキャスターのみで運搬できていたが、階段等の昇降の場合非常に難儀していた。
本考案はキャタピラー付トランク及び、既製トランクに取付可能なキャタピラーにより、容易に運搬出来、その軽便さの故に費用も極めて低廉であり、その益する所甚だ大である。
【図面の簡単な説明】
【０００３】
【図１】  キャタピラー付きトランク
【図２】  既製のトランクに取り付けたキャタピラー
【図３】  キャタピラー
【図４】  既製品トランクに取り付けたキャタピラー収納構
【図５】  キャタピラー部分拡大図
【符号の説明】
【０００４】１、トランク本体
２、留具
３、キャスター
４、キャタピラー収納構
５、キャタピラー用車輪
６、キャラピラー
７、車輪支柱
８、車輪支柱用基盤
９、車輪支柱用構基盤をトランクに緊締する穴
１０、緊締用紐具
１１、トランク取手
１２、索引用紐具
【図１】
0003126145.tif 000003
【図２】
0003126145.tif 000004
【図３】
0003126145.tif 000005
【図４】
0003126145.tif 000006
【図５】
0003126145.tif 000007
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
トランク本体にキャタピラー収納構を設け、車輪支柱と、車輪支柱用基盤とキャタピラーとを、収納構に固定したトランク。
【請求項２】
キャタピラーを取付けた車輪支柱用基盤の穴に、緊締用紐具を取付けた、トランクに取付可能な、取付用キャタピラーの構造。
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
トランク本体にキャタピラ−（登録商標）収納構を設け、車輪支柱と、車輪支柱用基盤とキャタピラ−（登録商標）とを、収納構に固定したトランク。
【請求項２】
キャタピラ−（登録商標）を取付けた車輪支柱用基盤の穴に、緊締用紐具を取付けた、トランクに取付け可能なキャタピラ−（登録商標）の構造。
【手続補正２】
【補正対象書類名】明細書
【補正対象項目名】全文
【補正方法】変更
【補正の内容】
【考案の詳細な説明】
【技術分野】
【０００１】  本案は上記のごとくして、第１図に示せる如くキャタピラ−（登録商標）収納構にキャタピラ−（登録商標）用車輪５及びキャタピラ−（登録商標）６、車輪支柱７、車輪支柱用基盤８を第４図のごとくキャタピラ−（登録商標）６が稼動できる範囲で、収納構４に固定する。
また第２図の場合は、既製品のトランクに取付可能な、第３図のキャタピラ−（登録商標）を車輪支柱用基盤穴９に緊締用紐具１０にて緊締し、階段等凹凸のある場所でトランクを容易に運搬出来る新規なる考案である。【０００２】  実用新案の性質、作用及び効果の要領本案は以上の如くであるから、平滑な場所では従来のキャスタ−のみで運搬できていたが、階段等の昇降の場合非常に難儀していた。
本考案はキャタピラ−（登録商標）付トランク及び既成トランクに取付可能なキャタピラ−（登録商標）により、容易に運搬出来、その軽便さの故に費用も極めて低廉であり、その益する所甚だ大である。
【図面の簡単な説明】
【０００３】
【図１】キャタピラ−（登録商標）付トランク
【図２】既成のトランクに取り付けたキャタピラ−（登録商標）
【図３】キャタピラ−（登録商標）
【図４】既成のトランクに取り付けたキャタピラ−（登録商標）収納構
【図５】キャタピラ−（登録商標）部分拡大図
【符号の説明】
【０００４】  １．トランク本体
２．留具
３．キャスタ−
４．キャタピラ−（登録商標）収納構
５．キャタピラ−（登録商標）用車輪
６．キャタピラ−（登録商標）
７．車輪支柱
８．車輪支柱基盤
９．車輪支柱用構基盤をトランクに緊締する穴
１０．緊締用紐具
１１．トランク取手
１２．索引用紐具
(57)【要約】【課題】  本考案は簡単に量の収納ができ、容易に取出しができ、安易に場所移動のできる安価なトイレットロールペーパー収納具を提供する。【解決手段】  本考案は解決手段として数個の小ポールを継ぎ足してなるポールを１〜複数本、座板に垂直に取り付けた形態のトイレットロールペーパー収納具を提供することにより、積み重ね安定した状態でロールペーパーが保管でき、簡単に移動ができ、使用済みロールペーパー分の小ポールを取り外しておくことにより次のロールペーパーを容易に取出すことができる。【選択図】  図３
0003126108.tif 000002
【実用新案登録請求の範囲】
【請求項１】
数個の小ポールを継ぎ足してなるポールを座板に垂直に１本取り付けた構造のトイレットロールペーパー収納具であって、ポールにロールペーパーの中心を差し込むことによりロールペーパーを積み重ね収納できるシングルポールタイプ収納具。
【請求項２】
数個の小ポールを継ぎ足してなるポールを座板に垂直に複数本取り付けた構造のトイレットロールペーパー収納具であって、ポールにロールペーパーの中心を差し込むことによりロールペーパーを積み重ね収納できる複数ポールタイプ収納具。
【考案の詳細な説明】
【技術分野】
【０００１】
本考案はトイレットロールペーパー収納に関するものである。
【背景技術】
【０００２】
従来の多くトイレットロールペーパー収納具は設置場所が限定される箱型か或いは、収納量の少ない布、ビニール製の吊り下げタイプである。
【考案の開示】
【考案が解決しようとする課題】
【０００３】
本考案が解決しようとする課題は安易に多量のトイレットロールペーパーを収納できしかも、簡単に取り出せ、さらに容易に場所移動ができる安価な収納具を提供するものである。
【課題を解決するための手段】
【０００４】
本考案は、数個の小ポールを継ぎ足してなるポールを座板に垂直に取り付け、トイレットロールペーパーの中心をポールに差し込み積み重ね収納する方式の収納具を解決手段とする。
【考案の効果】
【０００５】
上述のように、数個の小ポールを継ぎ足してなるポールを座板に垂直に取り付け、トイレットロールペーパーの中心をポールに差し込むことによりロールペーパーが崩れることなく安定した状態で積み重ね保管ができ、使用済みロールペーパー分のポールを取り外しておくことにより容易に次のロールペーパーの取出しができ、場所移動も簡単にできる。
【考案を実施するための最良の形態】
【０００６】
以下、図１〜図３を参照して本考案の実施の形態にかかるトイレットロールペーパー収納具の説明をする。
【実施例】
【０００７】
以下、添付図面に従って実施例を説明する。図１は請求項１に該当する座板Ａ（１）に数個の小ポールを継ぎ足してなるポール（４）を垂直に１本取り付けたトイレットロールペーパー収納具の斜視図である。収納方法は点線で示すように複数のロールペーパー（５）の中心をポールに差し込んでゆくことによりロールペーパーが崩れることなく積み上げられ、安定した状態で保管でき、使用済みロールペーパー分の小ポール（６）を取り外しておくことにより安易に次のロールペーパーを取出すことができる収納具である。座板、及びポールの形状、サイズは四角、三角、丸等、多種多様であり限定するものではない。ポールの継ぎ足し（６）方法はネジ式、或いは差し込み式である。
【０００８】
図２は請求項２に該当する座板Ｂ（２）に数個の小ポールを継ぎ足してなるポール（４）を垂直に２本取り付けたトイレットロールペーパー収納具の斜視図である。収納方法は点線で示すように複数のロールペーパー（５）の中心をポールに差し込んでゆくことによりロールペーパーが崩れることなく積み上げられ、安定した状態で保管でき、使用済みロールペーパー分の小ポールを取り外しておくことにより次のロールペーパーを安易に取出すことのできる収納具である。座板、及びポールの形状、サイズは四角、三角、丸等、多種多様であり、限定するものではない。ポールの本数についても２本に限定するものではない。ポールの継ぎ足し方法はネジ式、或いは差し込み式である。
【０００９】
図３は請求項２に該当する座板Ｃ（３）に数個の小ポールを継ぎ足してなるポール（４）を垂直に３本取り付けたトイレットロールペーパー収納具の斜視図である。収納方法は点線で示すように複数のロールペーパー（５）の中心をポールに差し込んでゆくことによりロールペーパーが崩れることなく積み上げられ、安定した状態で保管でき、使用済みロールペーパー分の小ポールを取り外しておくことにより次のロールペーパーを安易に取出すことが出来る収納具である。座板、及びポールの形状、サイズは四角、三角、丸等、多種多様であり、限定するものではない。ポールの本数についても３本に限定するものではない。ポールの継ぎ足し方法はネジ式、或いは差し込み式である。
【図面の簡単な説明】
【００１０】
【図１】１本ポールロールペーパー収納具斜視図
【図２】２本ポールロールペーパー収納具斜視図
【図３】３本ポールロールペーパー収納具斜視図
【符号の説明】
【００１１】
１  座板Ａ
２  座板Ｂ
３  座板Ｃ
４  数個の小ポールを継ぎ足してなるポール
５  ロールペーパー
６  取り外した小ポール
【図１】
0003126108.tif 000003
【図２】
0003126108.tif 000004
【図３】
0003126108.tif 000005
(57)【要約】【課題】自転車等の進入を防止しつつ車椅子等の通行は阻害せず、また車椅子等の使用者が単独でも安全かつ容易に通行できるゲートを、簡易な構造物及び工事によって設置する。【解決手段】Ｌ字形の一対の柵を点対象に向かい合わせて配置してクランク状の経路を形成し、車椅子等の最小回転半径が自転車等のそれよりも小さく、ほぼその場で９０度向きを変えることができる性質を利用して、車椅子等の通行を可能にしつつ、自転車等の進入を阻害する。【選択図】図１
0003125110.tif 000002
【実用新案登録請求の範囲】
【請求項１】
Ｌ字形の柵の一対をクランク状の経路を形成するように配置し、車椅子等の通行は阻害せず、自転車等の進入を阻害するゲート。
【考案の詳細な説明】
【技術分野】
【０００１】
本考案は、車椅子等の通行は阻害せず、自転車等の進入を防止するゲートに関するものである。
【背景技術】
【０００２】
自転車等の進入を禁止している場所への自転車等の進入防止を目的としたゲートが設けられることがあるが、
一般に車椅子等の幅は自転車等のそれよりも大きいため、
単純に柵を配置したゲートでは、
自転車等の進入を防止しようとすると車椅子等も通行不可能となる。
【０００３】
しかし、車椅子等の最小回転半径は自転車のそれより小さくほぼその場で９０度向きを変えることができるため、適切な幅を持つクランク状の経路では、車椅子等の通行は容易なまま、自転車等の通行は困難とすることができる。
【０００４】
開閉扉や回転枠等を用いて、車椅子等の通行を可能としつつ自転車等の進入を防止するゲートは考案されている（特許文献１〜８）。しかし、開閉扉や回転枠等の可動部分を持つゲートは、車椅子等の使用者が単独で利用するには困難が伴う。
【特許文献１】実用新案公開平０６−０３７４９９
【特許文献２】実用新案公開平０６−０２０５１５
【特許文献３】特許公開平０７−２１６８３５
【特許文献４】特許公開平０７−２５２８１０
【特許文献５】特許公開平０８−０７４４８５
【特許文献６】特許公開２００２−００４２３０
【特許文献７】特許公開２００２−００４２３３
【特許文献８】特許公開２００３−０２７４３３
【０００５】
半円形の枠を組み合わせることによりＳ字型の経路を確保し、車椅子等の通行を可能としつつ自転車等の進入を防止するゲートは考案されている（特許文献９）。しかし、Ｓ字型の経路を車椅子等で通り抜けるには、通り抜けるまで継続して徐々に方向を変える操作を必要とする。
また、Ｔ字型及びコ字型の柵を組み合わせることにより凹字型の経路を形成し、車椅子等の通行を可能としつつ自転車等の進入を防止するゲートは考案されている（特許文献１０）。
しかし、凹字型の経路を車椅子等で通り抜けるには、通り抜けるまで４回の方向転換を行う必要がある。
【特許文献９】特許公開平１０−１９５８３３
【特許文献１０】実用新案公開平０７−０３４０１６
【０００６】
自転車等のハンドルの幅があることを利用して、車椅子等の通行を可能としつつ自転車等の進入を防止するゲートは考案されている
（特許文献１１、１２）。
しかし、自転車等のハンドルの通過を阻害するためのバー等の位置は車椅子等の使用者の頭部の位置に近く、
車椅子等の通過に際し特段の安全措置が必要である。
【特許文献１１】特許公開２０００−１２９６３８
【特許文献１２】特許公開２００４−０９２０３２
【考案の開示】
【考案が解決しようとする課題】
【０００７】
解決しようとする問題点は、自転車等の進入を防止しつつ、車椅子等の通行を阻害せず、また車椅子等の使用者が単独でも安全かつ容易に通行できるゲートを、簡易な構造物及び工事にて設けることである。
【課題を解決するための手段】
【０００８】
本考案は、Ｌ字形の柵の一対を点対象に向かい合わせに配置することによりクランク状の経路を形成し、
車椅子等の最小回転半径が自転車等のそれよりも小さくほぼその場で９０度向きを変えることができる性質を利用して、
開閉扉や回転枠等の可動部分を用いることなく、車椅子等の通行を可能にしつつ、自転車等の進入を阻害することを特徴とする。
Ｌ字形の柵の辺の長さ及び配置の設定により、クランク状の経路は自転車等が斜めに直進できない形状とする。また自転車等の回転半径が大きいため、このクランク状の経路を曲がって進むことは困難となる。
【考案の効果】
【０００９】
自転車等の進入を阻害しつつも、車椅子等の通行を可能とすることができることにより、
自転車等の進入を禁止している場所等へ、車椅子等の使用者の利便性を損なわずに、
自転車進入防止ゲートを設置できるという利点がある。
【００１０】
開閉扉や回転枠等の可動部分を用いていないため、車椅子等の使用者が単独でも容易に利用することができる。
【００１１】
クランク状の経路は、車椅子等は２回の方向転換で通り抜けることができる。
【００１２】
柵の高さは、車椅子等の車輪よりも低く設定できるため、車椅子使用者の頭部への特段の安全措置を不要とする。
【００１３】
Ｌ字形の柵の一対を向かい合わせに配置するという簡易な構造物及び工事でゲートを設けることができる。
【考案を実施するための最良の形態】
【００１４】
柵の高さは、車椅子等の車輪の操作と干渉しない高さとする。これは４０ｃｍ程度である。
【００１５】
クランク状の経路の幅は、車椅子等の幅及び最小回転半径により決定する。
これは、柵の高さを車椅子等の車輪の操作と干渉しない高さとする前提で、８０ｃｍ程度である（図１のＡの部分）。なお、この幅を必要以上に広く取ると、自転車等の通行を阻害することができなくなる。
【００１６】
Ｌ字型の柵の２辺のうち、ゲートの通り抜け方向に垂直に配置される辺は、
その長さをクランク状の経路の幅と同程度とする（図１のＢの部分）。
【００１７】
Ｌ字型の柵の２辺のうち、ゲートの通り抜け方向に平行に配置される辺は、
自転車等が斜めにクランク状の経路を通り抜けることを阻害するよう、
その長さを経路の幅の１．５倍程度とする（図１のＣの部分）。
【図面の簡単な説明】
【００１８】
【図１】柵の配置（上から見たところ）
【図２】車椅子通行の概念図
【図１】
0003125110.tif 000003
【図２】
0003125110.tif 000004
(57)【要約】      （修正有）【課題】野外活動等においてテーブルや台が必要な場合に、軽くて持ち運びが簡単で頑丈なものにする。【解決手段】素材をプラスチックにする事により軽くして、組み合わせ方法により、強度をもたせる。短辺の中間に長辺の半分の切れ目が入ったプラスチック板２枚を逆方向に組み合わせ、２枚の板を組み合わせた時、切れ目の入った部分の安定性が悪いので、板の厚みの十字の溝の入った円筒形の安定具を取り付けその上に脚部より少し大きめの円形のプラスチック板を乗せたプラスチック簡易テーブル。【選択図】図３
0003125169.tif 000002
【実用新案登録請求の範囲】
【請求項１】
図１の切れ目の入ったプラスチック板２枚を組み合わせることによりテーブルの脚部の強度を増し、図２のように細工する事により、安定感を増すことが出来、素材がプラスチックのため軽くて、持ち運びが便利なテーブルになる。
【考案の詳細な説明】
【技術分野】
【０００１】本実用新案は野外等でテーブルや台が必要な時に簡単に作れて、その上に折り畳み式なので持ち運びが簡単である。
【背景技術】
【０００２】従来のは木製や鉄パイプ性で重くて、かさばった。
【考案の開示】
【考案が解決しようとする課題】
【０００３】野外でのテーブルや台は木製や鉄パイプ製のように重くて、かさばるので、キャンプ等に行く場合、荷物が重くて大きくてもって行くのが大変であるので少しでも軽く小さくしたいものである。
【課題を解決するための手段】
【０００４】テーブルや台の素材を軽くて、かさ張らないプラスチック製にする。
【考案の効果】
【０００５】プラスチック製にする事により、軽くて小さくまとまり、持ち運びが大変便利である。
【図面の簡単な説明】軽いプラスチック板を組み合わせることにより強度をもたせ骨組みにする。その上にプラスチック板を乗せてテーブルにする。【図１】骨組みとなるプラスチック板２枚と上に乗せるプラスチック板である。
【図２】骨組みとなるプラスチック板の強度と安定感を増すための細工をしてある部分の拡大図である。
【図３】組み立てたテーブルの完成図である。
【符号の説明】
Ａ  骨組み用プラスチック板
Ｂ  テーブル用プラスチック板
Ｃ  骨組み用プラスチック組み立て部分
Ｄ  テーブル完成図
【図１】
0003125169.tif 000003
【図２】
0003125169.tif 000004
【図３】
0003125169.tif 000005
【手続補正書】
【提出日】平成17年10月1日(2005.10.1)
【手続補正１】
【補正対象書類名】実用新案登録請求の範囲
【補正対象項目名】全文
【補正方法】変更
【補正の内容】
【実用新案登録請求の範囲】
【請求項１】
短辺の中間に長辺の半分の切れ目が入ったプラスチック板２枚を逆方向に組み合わせる事によりテーブルの脚部の強度が増す。
２枚の板を組み合わせた時、切れ目の入った部分の安定性が悪いので、板の厚みの十字の溝の入った円筒形の安定具を取り付けることにより、安定性が増し強度も増す。
その上に脚部より少し大きめの円形のプラスチック板を乗せる。
素材がプラスチックのため軽くて、持ち運びが便利なテーブルである。
【手続補正書】
【提出日】平成18年1月11日(2006.1.11)
【手続補正１】
【補正対象書類名】実用新案登録請求の範囲
【補正対象項目名】全文
【補正方法】変更
【補正の内容】
【実用新案登録請求の範囲】
【請求項１】
短辺の中間に長辺の半分の切れ目が入ったプラスチック板２枚を逆方向に組み合わせる。２枚の板を組み合わせた時、切れ目の入った部分の安定性が悪いので、板の厚みの十字の溝の入った円筒形の安定具を取り付ける。その上に脚部より少し大きめの円形のプラスチック板を乗せたプラスチック簡易テーブル。
【手続補正書】
【提出日】平成18年3月24日(2006.3.24)
【手続補正１】
【補正対象書類名】実用新案登録請求の範囲
【補正対象項目名】全文
【補正方法】変更
【補正の内容】
【実用新案登録請求の範囲】
【請求項１】
短辺の中間に長辺の半分の切れ目が入ったプラスチック板２枚を逆方向に組み合わせ、２枚の板を組み合わせた時、切れ目の入った部分の安定性が悪いので、板の厚みの十字の溝の入った円筒形の安定具を取り付けその上に脚部より少し大きめの円形のプラスチック板を乗せたプラスチック簡易テーブル。
(57)【要約】      （修正有）【課題】無機質な感覚がなく高級感があり柔らかな感覚がすると同時に、ノート型パソコンから発生する電磁波を防止しその障害から身体を守ることが出来るノート型パソコン台を作成することにある。【解決手段】表面部には皮革をプレッシング加工により成形し、芯材と貼合するために使用する接着剤にマイナスイオン発生パウダーを２〜１０％を練り込んだものを使用し、表面材と芯材を接着する。またノート型パソコン台のずれや落下を防止するために本体の後部に革製ベルトを設置してあることにより構成されている。【選択図】図１
0003125189.tif 000002
【実用新案登録請求の範囲】
【請求項１】
表面部分を１ｍｍ〜３ｍｍの皮革をプレッシング加工により成形し、芯材と組み合わせて一体化したノート型パソコン台。
【請求項２】
本考案の表面部分と芯材部分は、接着剤にマイナスイオンを発生するパウダーを２〜１０％練り込んだ接着剤を使用して一体化したノート型パソコン台。
【考案の詳細な説明】
【技術分野】
【０００１】  本考案は主としてノート型パソコン台を、皮革をプレッシング加工したもので芯材を包み込む、又この時マイナスイオンを発生させるパウダーを接着剤に混入したもので接着することにより、高級感がありかつ電磁波による身体への障害を阻止できるノート型パソコン台。【０００２】  例えば従来ノート型パソコンは机やテーブル等の上に置いて使用しているが、使用している材質がプラスチックと金属で構成されているためどうしても無機質な感じは否めない。また発生する電磁波による人体への悪影響が有ることは周知のことである。【０００３】  本考案は革をプレッシング加工により立体的に絞り表面部に使用するため高級感が有ると同時に暖かみが出てくる。又接着剤に混入されたマイナスイオン発生パウダーの作用により電磁波障害を防止することが出来るノート型パソコン台を作成することにある。【０００４】  上記目的を達成するため本考案のノート型パソコン台は、表面及び周辺部を１〜３ｍｍの牛皮や馬皮をタンニンにて鞣した革をプレッシング加工したものと、芯材を接着剤にマイナスイオン発生パウダーを２〜１０％混ぜた接着剤を使用し接着する。
【考案の効果】
【０００５】  本考案は簡単な構成であるが革製品の本来持っている高級感と柔らかな感覚の製品でありながら電磁波障害を防止できるノート型パソコンの台を作ることが可能になった。
【考案を実施するための最良の形態】
【０００６】  以下本発明の実施の形態を図面に基づき説明する。図１は本考案の平面図である。図２は本考案製品の側面図である。図３は本考案の正面断面部分拡大図である。【０００７】  本体はノート型パソコン台のズレや落下を防止するために上面部１に枠状の凸部２を設けてある。【０００８】  本体表面部及び周辺部はタンニン鞣しをした牛皮２ｍｍを使用しプレッシング加工により成形をした。この時成形後の変形防止のために牛革の裏面に硬化剤が均一に塗布されている。【０００９】  平板状の芯材９は木製であり、その表面及び側面にマイナスイオンパウダーを練り込んだ接着剤を用いてその上から、プレッシング加工で成形した表面部１を被せて一体化する。このことによりマイナスイオンは１平方センチ当たり１０００発生した。【００１０】  本体の後部と側面に革製のベルト４，５を、飾りビス６で固定しノート型パソコンのズレや落下を防止した。又裏面には滑り止めのゴム脚を設けた。【００１１】  実施例では表面材は牛革を使用したが馬革や豚革等も使用することが出来る。また芯材は木板を使用したがプラスチック板やアルミ板等を使用することも可能である。
【図面の簡単な説明】
【００１２】
【図１】  本考案の上面図である。
【図２】  本考案の側面図である。
【図３】  本考案の側断面拡大図（一部）
【符号の説明】
【００１３】１，表面部  ２，表面凸状枠部  ３，表面凹状部  ４，固定用ベルトＡ
５，固定用ベルトＢ  ６，ベルト取付飾りビス  ７，締め付け用バックル
８，締め付けサイズ調整用穴部  ９，芯材
１０，マイナスイオン発生パウダー入り接着剤部  １１，滑り止め脚部
【図１】
0003125189.tif 000003
【図２】
0003125189.tif 000004
【図３】
0003125189.tif 000005
【手続補正書】
【提出日】平成18年6月12日(2006.6.12)
【手続補正１】
【補正対象書類名】実用新案登録請求の範囲
【補正対象項目名】請求項２
【補正方法】変更
【補正の内容】
【請求項２】
本体の表面部分と芯材部分は、接着剤にマイナスイオンを発生するパウダーを２〜１０％練り込んだ接着剤を使用して一体化したことを特徴とした請求項１に記載したノート型パソコン台
(57)【要約】【課題】    生竹の節と節との空間を利用した、アルコール類の生竹へのパッケージ構造で、毛細管現象による内部のアルコール類・飲料物の、竹表面への滲み出しの不具合の解消等。【解決手段】    生竹本体１０のアルコール類・飲料物の注入口２の内側と、竹の埋栓２０の表面を樹脂等１でシールし、更に生竹本体１０の端面も樹脂等１でシールすることにより、この課題を解決し、衛生的な商品となった。生竹の中に注入したアルコール類等の味もかわらず、付帯効果として、生竹本体へのアルコール類等の注入方法が、直ぐに判らず、商品価値を高めることができた。【選択図】図６
0003125187.tif 000002
【実用新案登録請求の範囲】
【請求項１】
生竹の節と節との空間を利用した、アルコール類・飲料物のパッケージ構造で、穴等の加工により、竹の繊維を切断するため、維管束等により発生する毛細管現象で、竹内部のアルコール類・飲料物の、竹表面への滲み出しを防止したパッケージ構造。
【考案の詳細な説明】
【技術分野】
【０００１】  本考案は、生竹の節と節との空間を利用して、アルコール類・飲料物をパッケージする際、竹の埋栓等を工夫する事により、毛細管現象で発生する、生竹内部のアルコール類等の、竹表面への滲み出を防止したものである。【０００２】  生竹内部のアルコール類・飲料物の竹表面への滲み出しを、防止することにより、生竹へのアルコール類等の注入構造が判りにくくなる。【０００３】  この滲み出しを防止することにより、製品として衛生的で、且つ、外観が良くなり、商品価値が高まる付帯効果も期待できる。
【背景技術】
【０００４】  従来から、アルコール類のパッケージ構造として、生竹に斜めに穴をあけ、その穴をアルコール類の注入口として、竹の埋栓で密閉する構造が利用されている。【０００５】  このパッケージ構造を利用することにより、なかに注入したアルコール類の味が変化して、大変おいしく味わうことができる。
【考案の開示】
【考案が解決しようとする課題】
【０００６】  しかし、生竹に竹の埋栓で密閉すると、内部のアルコール類・飲料物が、毛細管現象により、竹表面へ滲み出てくるので、アルコール類等の注入構造が直ぐ判り、又、不衛生であり、且つ、外観も悪い。【０００７】  特に運搬時には滲み出しが多い。
【課題を解決するための手段】
【０００８】  生竹内部のアルコール類・飲料物の、滲み出しの課題を解決するための考案で、竹の埋栓とアルコール類・飲料物の注入口（生竹本体の斜めの穴  図３・４参照）は、竹の加工により繊維が切断され、維管束等より毛細管現象が発生する。そこで、加工された竹の繊維の切断面を樹脂等でシールし、竹の維管束等を遮断することにより、毛細管現象を防ぎ、アルコール類等の滲み出しを防止できる。
【考案の効果】
【０００９】  毛細管現象による、生竹内部のアルコール類・飲料物の滲み出しの不具合は、運搬時に揺れても発生せず、衛生的になり、かつ、外観もよくなった。【００１０】  生竹の中に注入したアルコール類・飲料物の味は、樹脂等でシールする前と変わらなかった。【００１１】  付帯効果として、アルコール類の生竹への注入構造も、丹念に見ないとわからず、商品としての付加価値も上がり、話題性に富む製品になった。
【考案を実施するための最良の形態】
【００１２】  図１は、生竹本体１０にアルコール類・飲料物を注入し、内部のアルコール類等が、竹表面に滲み出た写真である。【００１３】  図２は、考案後の写真で、内部のアルコール類・飲料物の竹表面への滲み出しが、無くなった写真である。【００１４】  図３は、生竹本体１０の両端の節３を残して切断し、節３と節３との間の空間にアルコール類・飲料物の注入口２（生竹本体の斜めの穴）をあけた一部断面図である。【００１５】  図４は、その断面の拡大図であり、斜めに穴をあける事により発生した、竹の繊維の切断により、毛細管現象が発生するので、その対策として、穴の内部の表面を樹脂等１でシールし、生竹本体１０よりのアルコール類・飲料物の滲み出しを防止する。【００１６】  図５は、竹で製作した、アルコール類の注入口２の埋栓２０の図である。竹の繊維が切断され、毛細管現象が発生するので、その対策として、埋栓２０の竹の表面を樹脂等１でシールし、埋栓２０よりのアルコール類・飲料物の滲み出しを防止する。【００１７】  図６は、生竹本体１０にアルコール類・飲料物３０を注入し、埋栓２０を打ち込み後、埋栓箇所を判りにくくするため、竹の端面を切りそろえた図である。その後、切りそろえた端面の表面が乾燥後、埋栓２０の端面付近、又は端面全体を樹脂等１でシールすることにより、確実にアルコール類・飲料物の滲み出しを防止する。
【図面の簡単な説明】
【００１８】
【図１】  内部のアルコール類等が竹表面に滲み出た写真である。
【図２】  考案後、内部のアルコール類等の竹表面への滲み出しが、無くなった写真である。
【図３】  生竹の両端の節を残して切断し、節と節との間にアルコール類の注入口（竹本体の斜めの穴）をあけた一部断面図である。
【図４】  その断面の拡大図である。
【図５】  竹で製作した、アルコール類等の注入口の埋栓の図である。
【図６】  竹にアルコール類を注入し、埋栓を打ち込み後、埋栓箇所を判りにくくするため、竹の端面を切りそろえ、樹脂等１でシールした図である。
【符号の説明】
【００１９】    １      樹脂等のシール面
２      アルコール類・飲料物の注入口
３      生竹の節
１０    生竹本体
２０    竹の埋栓
３０    注入したアルコール類・飲料物
【図１】
0003125187.tif 000003
【図２】
0003125187.tif 000004
【図３】
0003125187.tif 000005
【図４】
0003125187.tif 000006
【図５】
0003125187.tif 000007
【図６】
0003125187.tif 000008
【手続補正書】
【提出日】平成18年6月5日(2006.6.5)
【手続補正１】
【補正対象書類名】実用新案登録請求の範囲
【補正対象項目名】全文
【補正方法】変更
【補正の内容】
【実用新案登録請求の範囲】
【請求項１】
生竹の節と節とを残して切断し、その竹の空間を利用して、内部にアルコール類・飲料物を注入するパッケージ構造であって、
生竹本体の端面に、アルコール類等を注入するための注入口を設け、
前記、注入口は埋栓で密閉されており、
少なくとも、埋栓の端面附近を樹脂等でシールする、
アルコール類・飲料物の、竹表面への滲み出しを防止したパッケージ構造。
(57)【要約】      （修正有）【課題】上糸と下糸のボビンを同軸の心棒に差し込んで使い易くしたボビン立を提供する。【解決手段】多種多色のミシン糸を収納ボックスから取り出す場合、同一組の上糸と下糸のボビンを確実に判別することの困難さを経験し、同軸心棒に重ねて差し込むことに着目し、収納ボックスに上下１対のボビンが差せる心棒を必要個数取り付けた底板を重ね置きした。上糸と下糸の同時に使うボビンを同軸に組み合わせて収納するため、他種の糸が混同したり絡み合ったりすることがない。【選択図】図１
0003125184.tif 000002
【実用新案登録請求の範囲】
【請求項１】
家庭用ミシン糸ボビン立
ミシン糸整理ボックスの底板に上糸ボビンと下糸ボビンを重ねて収納出来る心棒を取り付け、双方の糸が混乱なく確実に取り出せる様に工夫した。
収納ボックスはプラスチック製品とし、心棒の本数・間隔はボビンの大きさによって１８本タイプと１５本タイプにしてもよい。底板と心棒の材質はプラスチックの成型品とする。
【考案の詳細な説明】
〔書類名〕図面  （単位ミリ）
【図１】
ミシン糸とボビン立
１  心棒の長さ      ６０
２  心棒の直系      ５
３  底板            横２１０  奥行１１０
４  心棒の本数      １５本又は１８本
【図２】
上糸と下糸ボビンの組み合わせ
１  下糸
２  上糸
３  心棒
【図３】
心棒の取り付け間隔
１  普通糸（１８ヶ収納）  ミシン糸ボビン径  ３０
縦  ４５  横  ３８
２  中太糸（１５ヶ収納）  ミシン糸ボビン径  ３５
【図４】
収納ボックス
１  横                    ２２０
２  高さ                    ９５
３  奥行                  １２０
【図１】
0003125184.tif 000003
【図２】
0003125184.tif 000004
【図３】
0003125184.tif 000005
【図４】
0003125184.tif 000006
【手続補正書】
【提出日】平成18年5月29日(2006.5.29)
【手続補正１】
【補正対象書類名】実用新案登録請求の範囲
【補正対象項目名】全文
【補正方法】変更
【補正の内容】
【実用新案登録請求の範囲】
【請求項１】
多数種のミシン糸を整理するための整理ボックスを作り、ボックスの中に別の底板に心棒を立てた台を置いて、上糸と下糸を縦に重ねて収納出来ることを特徴とする家庭用ミシン糸ボビン立
【手続補正２】
【補正対象書類名】明細書
【補正対象項目名】全文
【補正方法】変更
【補正の内容】
【考案の詳細な説明】
【技術分野】
【０００１】  上糸と下糸のボビンを同軸の心棒に差し込んで使い易くしたボビン立に関するものである。
【背景技術】
【０００２】  同色の糸を同一軸に重ねて置くことにより、他と混同しない。
【考案の開示】
【考案が解決しようとする課題】
【０００３】  多種多色のミシン糸を収納ボックスから取り出す場合、同一組の上糸と下糸のボビンを確実に判別することの困難さを経験し、同軸心棒に重ねて差し込むことに着目した。
【課題を解決するための手段】
【０００４】  収納ボックスに上下１対のボビンが差せる心棒を必要個数取り付けた底板を重ね置きした。
【考案の効果】
【０００５】  上糸と下糸の同時に使うボビンを同軸に組み合わせて収納するため、他種の糸が混同したり絡み合ったりすることがなくなった。
【考案を実施するための最良の形態】
【０００６】  家庭で手軽にコンパクトに扱える透明又は半透明のプラスチック製ボックスを使い、底面にボビンの径に合わせた心棒を固定させた台を重ね置きする。
【実施例】
【０００７】  添付図面に従って説明する。
図１のプラスチック板にボビン用の心棒を付ける。ボビンの径も大小あるのでボビン立は２種類作る。
図１に応じたプラスチック製の収納ボックス（図５）を作り、ボビン立がキチンと収まるようにする。【０００８】  現在は木の板に鉄釘を打ち付けたボビン立を、図のような空箱を利用して試用しているが、体裁や使い勝手からしても格安な新製品が歓迎されるものと考える。
【図面の簡単な説明】
【０００９】
【図１】  底板と心棒の正面図
【図２】  底板と心棒の上面図
【図３】  底板と心棒の上面図
【図４】  糸とボビンを重ねた正面図
【図５】  ボックスの正面図
【図６】  ボックスの内面図
【図７】  ボックスの内面図
【符号の説明】
【００１０】        ［図１］  １．心棒の高さ  ６０
２．心棒の直径    ５
３．底板    横２１０  奥行１１０
［図２］  １．心棒の本数  １８本（普通糸）
［図３］  １．心棒の本数  １５本（中太巻糸）
［図４］  １．心棒
２．ボビン
３．ミシン糸
［図５］  １．ボックス  横２２０  奥行１２０  高さ９５
２．取っ手
３．開閉
［図６］  １．ボックスの下部
［図７］  １．ボックスの上部
（単位  ミリ）
【手続補正３】
【補正対象書類名】図面
【補正対象項目名】全図
【補正方法】変更
【補正の内容】
【図１】
0003125184.tif 000007
【図２】
0003125184.tif 000008
【図３】
0003125184.tif 000009
【図４】
0003125184.tif 000010
【図５】
0003125184.tif 000011
【図６】
0003125184.tif 000012
【図７】
0003125184.tif 000013
(57)【要約】【課題】  従来のめがね拭き（クリーナー）は、清掃用生地（ワイピングクロス、極細繊維、超極細繊維等）で作られた平布であり、老人や子供など手の力の弱いものにとっては、拭き辛い面があった。めがねレンズの埃や汚れを払拭するために使用するに適した清掃用具であり、かつ手の力が弱いものにも優しい、拭きやすくて便利なめがね拭き（クリーナー）を提供する。【解決手段】  めがね拭き（クリーナー）の形を、指サック様袋型（指の形に添った形状）にする。めがね拭き（クリーナー）用の清掃用生地（ワイピングクロス、極細繊維、超極細繊維等）を、その表面の一部、又は全部に使用する。第一指と第二指と二つ使用すると、大きな力を必要とせず、簡単にめがねを清掃することができる。又、清掃用生地を使用していない部分に、アップリケや縫いぐるみなどの装飾品をつけることで、娯楽・装飾品としても楽しいものにできる。【選択図】図２
0003125186.tif 000002
【実用新案登録請求の範囲】
【請求項１】
指サック様袋型のめがね拭き（クリーナー）である。
【請求項２】
指サック様袋型のめがね拭き（クリーナー）の全部又は一部に、清掃用生地（ワイピングクロス、極細繊維、超極細繊維等）を使用する。
【請求項３】
指サック様袋型のめがね拭き（クリーナー）に、ミニ縫いぐるみやアップリケ、マスコット人形などをつけて、装飾品としても提供する。
【考案の詳細な説明】
【技術分野】
【０００１】    本考案は、一般家庭のめがね拭き（クリーナー）に関する。
【背景技術】
【０００２】    従来のめがね拭きは、極細繊維やポリエステル素材布などの、平布である。
レンズの清掃を行うときは、平布をレンズの表裏にわたるように折り曲げて巻きつけて、手を両面からこすり合わせて清掃していた。布はすべりやすく、力を入れて拭く必要があった。しかし、力を入れすぎると、めがねを損傷しそうになる危険もあった。
（特許文献１参照。）
【特許文献１】特許公開２００５−１７９８４６
【考案の開示】
【考案が解決しようとする課題】
【０００３】  めがねレンズを清掃するめがね拭き（クリーナー）は、清掃用生地（ワイピングクロス、極細繊維、超極細繊維等）を使用しているが、形が平布であり、特に極細繊維や超極細繊維を使用した特殊生地は、すべりやすく、老人や握力が弱い人、子供には、拭き辛い。
【課題を解決するための手段】
【０００４】  めがね拭きの形を、指サック様袋型とする。第一指と第二指（又は第三指）に嵌めて使えるようにする。【０００５】  素材の一部又は全部に、めがね拭きに適した、清掃用生地（ワイピングクロス、極細繊維、超極細繊維等）を用いる。全部をこの極細繊維等で作るときには、裏に接着芯を貼り、形の崩れを防ぐ。又、指の感触がよいように、別生地でうらをつけることもある。
【考案の効果】
【０００６】  老人、子供、握力が弱い人や、手の巧緻機能障害のある人でも、指に嵌めることで、たやすく使えるめがね拭きである。
【考案を実施するための最良の形態】
【０００７】めがねレンズの清掃用生地（ワイピングクロス、極細繊維、超極細繊維等）を成型（縫製）し、指が入るような指サック様の袋を作る。開口部（指を入れるところ）が直径３ｃｍ前後で、奥行きは５ｃｍ前後とし、先端部は閉じて袋状になっている。第一指用と、第二指用の大きさを違えることもできる。指がちょうどはまるように作ることで、ずれにくく、レンズを拭きやすくなっている。
【実施例１】
【０００８】以下添付図面にそって、実施例を説明する。
１は、第一指用の指サック様袋型めがね拭き（クリーナー）。２は第二指用の指サック様袋型めがね拭き（クリーナー）。裏に接着芯を張った清掃用生地（ワイピングクロス、極細繊維、超極細繊維等）３を、指サック様の袋に作る。開口部（指を入れるところ）が直径３ｃｍ前後で、奥行きは５ｃｍ前後とし、先端部は閉じて袋状になっている。別生地で裏袋を作る。あわせて、形のしっかりした、指がちょうど入る袋を作る。
【実施例２】
【０００９】  普通生地４で、指サック様の袋をつくる。開口部（指を入れるところ）６が直径３ｃｍ前後で、奥行きは５ｃｍ前後とし、先端部は閉じて袋状になっている。その袋の指腹部分になるところへ、接着芯を張った清掃用生地（ワイピングクロス、極細繊維、超極細繊維等）を部分的に、縫い付ける（又は貼り付ける）。
【実施例３】
【００１０】  実施例１又は、実施例２の、背側に、マスコットや小さなぬいぐるみなど５を縫い付けて（貼り付けて）、実用兼楽しい装飾品としても供する。
【図面の簡単な説明】
【００１１】
【図１】本考案実施例１の指サック型めがね拭きの正面図である。
【図２】本考案実施例１で、第一指と第二指に装着したところの図である。
【図３】本考案実施例１で、めがねを拭いているところである。
【図４】本考案実施例２の指サック様袋型めがね拭き（クリーナー）の表側正面図である。一部（表側片面）に、清掃用生地（ワイピングクロス、極細繊維、超極細繊維等）を縫い付けて（又は貼り付ける）いる。
【図５】実施例３の指サック様袋型めがね拭き（クリーナー）の裏正面図である。表部分に清掃用生地（ワイピングクロス、極細繊維、超極細繊維等）を縫い（又は貼り）つけて、裏側に、飾り物や小さな縫いぐるみをつけている。
【符号の説明】
【００１２】１．  第一指用指サック様袋型めがね拭き
２．  第二使用指サック様袋型めがね拭き
３．  清掃用生地（ワイピングクロス、極細繊維、超極細繊維等）
４．  普通生地
５．  装飾用ミニ縫いぐるみ（等）
６．  開口部
【図１】
0003125186.tif 000003
【図２】
0003125186.tif 000004
【図３】
0003125186.tif 000005
【図４】
0003125186.tif 000006
【図５】
0003125186.tif 000007
【手続補正書】
【提出日】平成18年6月19日(2006.6.19)
【手続補正１】
【補正対象書類名】実用新案登録請求の範囲
【補正対象項目名】全文
【補正方法】変更
【補正の内容】
【実用新案登録請求の範囲】
【請求項１】
第一指用指サックおよび、第二指用若しくは第三指用指サックから成ることを特徴とする指サック様袋型めがね拭き。
【請求項２】
前記第一指用指サックおよび、前記第二指用若しくは前記第三指用指サックの全部或いは一部の部位に、清掃用生地を用いたことを特徴とする請求項１に記載の指サック様袋型めがね拭き。
【請求項３】
前記第一指用指サックおよび、前記第二指用若しくは前記第三指用指サックの背側に、装飾を施したことを特徴とする請求項１又は２に記載の指サック様袋型めがね拭き。